(57)【要約】【課題】  洗濯物を干す場合、足元に置いた洗濯物を腰をかがめて取り、腰を伸ばしてそれを物干竿に掛けるという動作を繰り返し行うので、物干作業は腰に負担がかかる作業であった。そのため、腰の具合の悪い人や高齢者等には、苦痛を伴うものであった。【解決手段】  洗濯物入れ容器吊下支持部３の上端に物干竿係合鉤２を取付け、下端に洗濯物入れ容器吊下鉤４を取付けると共に、洗濯物入れ容器吊下支持部３の途中に、先端に洗濯挟み入れ容器吊下鉤６が付けられた洗濯挟み入れ容器吊下支持部５を取り付けたものを、物干作業用具１とした。物干竿係合鉤２を物干竿７に引っ掛け、洗濯物入れ容器８を洗濯物入れ容器吊下鉤４に吊り下げ、洗濯挟み入れ容器９を洗濯挟み入れ容器吊下鉤６に吊り下げる。すると、腰をかがめなくとも洗濯物や洗濯挟みを取り出すことが出来、物干作業が楽になる。【選択図】        図２
0003105261.tif 000002
【実用新案登録請求の範囲】
【請求項１】
物干竿に引っ掛けるための物干竿係合鉤と、
洗濯物入れ容器を吊り下げるための洗濯物入れ容器吊下鉤と、
一端に前記物干竿係合鉤が接続され、他端に前記洗濯物入れ容器吊下鉤が接続された洗濯物入れ容器吊下支持部と、
該洗濯物入れ容器吊下支持部の途中に基部が取り付けられた洗濯挟み入れ容器吊下支持部と、
該洗濯挟み入れ容器吊下支持部の先端に取り付けられた洗濯挟み入れ容器吊下鉤と
を具え、
腰を曲げなくとも中の洗濯物を取り出せる位置に洗濯物入れ容器を吊ると共に、同じく腰を曲げなくとも中の洗濯挟みを取り出せる位置に洗濯挟み入れ容器を吊ることが出来るようにしたことを特徴とする物干作業用具。
【考案の詳細な説明】
【技術分野】
【０００１】
本考案は、洗濯物を干す作業を楽にする物干作業用具に関するものである。
【背景技術】
【０００２】
従来、洗濯物を干す作業は、次のようなものであった。
（１）先ず、洗濯物を入れた洗濯物入れ容器と、洗濯挟みを入れた洗濯挟み入れ容器とを、物干竿の下に持って来て足元に置く。
（２）次に、足元の各容器からそれぞれ洗濯物と洗濯挟みを取り出し、頭上の物干竿に洗濯物を掛けては洗濯挟みで止める。（以後、これを繰り返す）
つまり、物干作業の大部分は、腰をかがめて洗濯物等を取り出す作業と、腰を伸ばして頭上の物干竿に洗濯物を掛ける作業との繰り返しであった。
【考案の開示】
【考案が解決しようとする課題】
【０００３】
前記した従来の物干作業においては、腰をかがめることと腰を伸ばすことを繰り返し行う必要があったので、腰に負担がかかる作業であった。そのため、腰の具合の悪い人にとっては大変な苦痛を伴うものであることは勿論であるが、高齢者等の身体の硬くなっている人にとっても苦痛を伴うものであった。また、通常の人にとっても、洗濯物の数が多い場合には、苦痛とまではいかないにしても相当の疲労を覚える作業であった。
本考案は、以上のような問題点を解決することを課題とするものである。
【課題を解決するための手段】
【０００４】
前記課題を解決するため、本考案の物干作業用具では、物干竿に引っ掛けるための物干竿係合鉤と、洗濯物入れ容器を吊り下げるための洗濯物入れ容器吊下鉤と、一端に前記物干竿係合鉤が接続され、他端に前記洗濯物入れ容器吊下鉤が接続された洗濯物入れ容器吊下支持部と、該洗濯物入れ容器吊下支持部の途中に基部が取り付けられた洗濯挟み入れ容器吊下支持部と、該洗濯挟み入れ容器吊下支持部の先端に取り付けられた洗濯挟み入れ容器吊下鉤とを具えたものとすることとした。そして、腰を曲げなくとも中の洗濯物を取り出せる位置に洗濯物入れ容器を吊ると共に、腰を曲げなくとも中の洗濯挟みを取り出せる位置に洗濯挟み入れ容器を吊ることが出来るようにした。
【考案の効果】
【０００５】
以上述べた如く、本考案の物干作業用具によれば、洗濯物入れ容器や洗濯挟み入れ容器を、腰をかがめなくとも中の洗濯物や洗濯挟みを取り出すことが出来る位置に、吊っておくことが出来る。そのため、物干し作業をする際、腰をかがめたり伸ばしたりを繰り返す必要がなくなり、腰の具合が悪い人や高齢者等も、苦痛を伴うことなく物干し作業をすることが出来るようになる。
【考案を実施するための最良の形態】
【０００６】
以下、本考案の実施形態を図面に基づいて詳細に説明する。
図１は、本考案の第１の実施形態に係る物干作業用具を示す図である。図１において、１は物干作業用具、２は物干竿係合鉤、３は洗濯物入れ容器吊下支持部、３−１〜３−３は着脱リング、４は洗濯物入れ容器吊下鉤、５は洗濯挟み入れ容器吊下支持部、６は洗濯挟み入れ容器吊下鉤である。
【０００７】
物干竿係合鉤２は、物干竿に引っ掛けることが出来るようなサイズの鉤であり、洗濯物入れ容器吊下鉤４は、図１では図示していない洗濯物入れ容器を吊り下げることが出来るようなサイズの鉤である。これらの鉤は、図示するように幅広にされた構造のものであることが望ましい。幅広にしておくと幅方向への傾きに耐える作用が強くなり、物干竿係合鉤２が物干竿の上で左右に揺らぐこともないし、また、洗濯物入れ容器吊下鉤４に吊り下げられた洗濯物入れ容器が、むやみに揺らぐこともない。
洗濯物入れ容器吊下支持部３は図示の例では鎖で出来ており、その一端には着脱リング３−１を介して物干竿係合鉤２が接続され、その他端には着脱リング３−２を介して洗濯物入れ容器吊下鉤４が接続されている。着脱リング３−１，３−２は、鍵を保持するのにしばしば使用されるような金属リングであり、洗濯物入れ容器吊下支持部３の鎖から容易に外すことが可能である。
【０００８】
着脱リング３−１，３−２を使って、洗濯物入れ容器吊下支持部３の実質的な長さを、必要に応じて微調整することが出来る。実質的な長さとは、物干竿係合鉤２が取り付けられている位置と、洗濯物入れ容器吊下鉤４が取り付けられている位置との間の長さのことである。この長さは、着脱リング３−１あるいは３−２を一旦外し、物干竿係合鉤２あるいは洗濯物入れ容器吊下鉤４を、鎖の別の位置に付け換えることにより変えることが出来る。
この長さの変更は、使用する人の身長とか好みに合わせて適宜行うことが出来る。要するに、使用する人が物干作業をするのにもっとも楽だと思う位置に、洗濯物入れ容器が吊り下げられるようにする（例えば、身長が高い人は高い位置に吊り下げたいと思うであろうから、長さを短くしたいであろう。）。
【０００９】
なお、作業に楽な位置とは、少なくとも腰をかがめなくとも洗濯物が取り出せる範囲の位置のことである。手は上下の相当範囲に動かすことが出来るから、腰をかがめなくとも洗濯物を取り出せる範囲はかなり広い。その範囲内の位置に吊る長さであればよい。
洗濯物入れ容器吊下支持部３の長さは、洗濯物入れ容器８をもともとそのような範囲の位置に吊り下げれる長さとしておくわけであり、それで作業を楽にするという本質的機能は充分発揮される。しかし、着脱リング３−１，３−２により長さを調節すれば、もっと好みにあう長さにすることも出来るということである。従って、着脱リング３−１，３−２を用いることは、本考案に必須のものというわけではない。
【００１０】
一方、洗濯挟み入れ容器吊下支持部５の先端には、洗濯挟み入れ容器吊下鉤６が取り付けられている。そして、洗濯挟み入れ容器吊下支持部５の基部は、着脱リング３−３を介して洗濯物入れ容器吊下支持部３の途中の任意の位置に取り付けられている。
着脱リング３−３も、着脱リング３−１等と同じ構造のリングである。着脱リング３−３を用いているのは、洗濯物入れ容器吊下支持部３の途中の任意の位置に、洗濯挟み入れ容器吊下支持部５を付け換えることが出来るようにするためである。しかし、これは好みに応ずるための構造であり、やはり本考案に必須のものではない。
洗濯挟み入れ容器吊下鉤６は、洗濯挟みという軽い荷物を入れただけの小さな洗濯挟み入れ容器を吊り下げるためのものであるから、物干竿係合鉤２や洗濯物入れ容器吊下鉤４に比べて、小さなものでよい。
【００１１】
図２は、第１の実施形態の物干作業用具１の使用状況を説明する図である。符号は図１のものに対応し、７は物干竿、８は洗濯物入れ容器、９は洗濯挟み入れ容器である。
本考案の物干作業用具１を用いて行う物干作業は、次のようなものとなる。
（１）先ず、洗濯物を入れた洗濯物入れ容器と、洗濯挟みを入れた洗濯挟み入れ容器とを、物干竿の下に持って来て足元に置く。
（２）次に、物干竿係合鉤２を物干竿７に引っ掛け、洗濯物入れ容器吊下鉤４に洗濯物入れ容器８を吊り下げ、洗濯挟み入れ容器吊下鉤６に洗濯挟み入れ容器９を吊り下げる。
（３）そうしておいて、洗濯物入れ容器８からは洗濯物を取り出し、洗濯挟み入れ容器９からは洗濯挟みを取り出して、頭上の物干竿に洗濯物を掛けては洗濯挟みで止める。（以後、これを繰り返す）
【００１２】
このようにして行う物干作業では、洗濯物を干す度に、いちいち腰をかがめたり伸ばしたりする必要がない。なぜなら、洗濯物入れ容器８が足元より高い位置に吊られているので、腰をかがめなくとも洗濯物が取り出せるし、同様に、吊られている洗濯挟み入れ容器９から洗濯挟みを取り出せるからである。
従って、腰の具合の悪い人や高齢者等の身体が硬くなっている人には勿論、通常の人にとっても、物干作業が楽になる。
なお、第１の実施形態で鎖を用いている部分（洗濯物入れ容器吊下支持部３，洗濯挟み入れ容器吊下支持部５）は、その部分での支持能力を果たすことが出来る手段でありさえすれば、他の手段を用いることとしてもよい。そのような手段としては、例えば、紐とかロープとか針金等が挙げられる。
【００１３】
図３は、本考案の第２の実施形態に係る物干作業用具を示す図である。符号は図１のものに対応し、３−４は取付具である。図１の第１の実施形態と相違する主なる点は、洗濯物入れ容器吊下支持部３を鎖ではなく棒状のものとしたという点である。棒状部材の材料としては、例えば、木，金属パイプ（アルミパイプ等），プラスチックパイプ等が考えられる。そして、その棒状の洗濯物入れ容器吊下支持部３の一端には物干竿係合鉤２が固着され、他端には洗濯物入れ容器吊下鉤４が固着されている。
洗濯物入れ容器吊下支持部３の途中の位置に取付具３−４が固着され、これに洗濯挟み入れ容器吊下支持部５が取り付けられ、その先端に洗濯挟み入れ容器吊下鉤６が取り付けられている。洗濯挟み入れ容器吊下支持部５としては、図３では短い鎖を用いているが、その他の手段（例、ひも）を用いてもよい。
【００１４】
洗濯物入れ容器吊下支持部３の長さは、第１の実施形態のところでも述べたように、物干竿係合鉤２を物干竿に引っ掛け、洗濯物入れ容器吊下鉤４に洗濯物入れ容器８を吊り下げた場合、腰をかがめずに洗濯物が取り出せる位置に洗濯物入れ容器８が吊り下げられるような長さとする。
取付具３−４の固着される位置、および洗濯挟み入れ容器吊下支持部５の長さについても、腰をかがめずに洗濯挟みが取り出せる位置に洗濯挟み入れ容器９が吊り下げられるようにすること、同様である。
図４は、第２の実施形態の物干作業用具の使用状況を説明する図であり、符号は図２，図３のものに対応している。
【図面の簡単な説明】
【００１５】
【図１】本考案の第１の実施形態に係る物干作業用具を示す図
【図２】第１の実施形態の物干作業用具の使用状況を説明する図
【図３】本考案の第２の実施形態に係る物干作業用具を示す図
【図４】第２の実施形態の物干作業用具の使用状況を説明する図
【符号の説明】
【００１６】
１…物干作業用具、２…物干竿係合鉤、３…洗濯物入れ容器吊下支持部、３−１〜３−３…着脱リング、３−４…取付具、４…洗濯物入れ容器吊下鉤、５…洗濯挟み入れ容器吊下支持部、６…洗濯挟み入れ容器吊下鉤、７…物干竿、８…洗濯物入れ容器、９…洗濯挟み入れ容器
【図１】
0003105261.tif 000003
【図２】
0003105261.tif 000004
【図３】
0003105261.tif 000005
【図４】
0003105261.tif 000006